(57)【要約】【課題】洗浄時に角質層のアミノ酸を洗い流さない溶出抑制効果によって肌のうるおいを保ち、泡立ち、泡質（クリーミィ性）も良好な洗浄剤組成物を提供する。【解決手段】（ａ）ドデカン−１，２−ジオール酢酸エーテルナトリウム、及び（ｂ）ジプロピレングリコールを含有し、含有比（ａ）：（ｂ）が１：１〜１：１０であることを特徴とする洗浄剤組成物。【選択図】なし【特許請求の範囲】
【請求項１】
（ａ）ドデカン−１，２−ジオール酢酸エーテルナトリウム、及び（ｂ）ジプロピレングリコールを含有し、含有比（ａ）：（ｂ）が１：１〜１：１０であることを特徴とする洗浄剤組成物。
【発明の詳細な説明】
【技術分野】
【０００１】
本発明は洗浄剤組成物に関し、詳しくは、洗浄時に角質層のアミノ酸を洗い流さない溶出抑制効果によって肌のうるおいを保ち、泡立ち、泡質（クリーミィ性）も良好な洗浄剤組成物に関する。
【背景技術】
【０００２】
従来の洗浄剤組成物には、泡立ちが早く、低刺激な界面活性剤としてドデカン−１，２−ジオール酢酸エーテルナトリウムに代表されるヒドロキシエーテルカルボン酸型界面活性剤を配合しているもの（例えば、特許文献１、２参照。）がある。しかしながら、これらの洗浄剤組成物は、泡立ちや泡質（クリーミィ性）、洗浄時における角質層のアミノ酸を洗い流さない溶出抑制効果の点では、十分に要望を満たしているとはいえなかった。
【０００３】
ヒドロキシエーテルカルボン酸型界面活性剤を配合する洗浄剤組成物において、泡立ちや泡質（クリーミィ性）の向上や、タオルドライ後の滑らかさやしっとりとした肌感触の付与を両立させる目的で、油性成分を配合すること（例えば、特許文献３参照。）や、アクリルアミド・アクリル酸・塩化ジメチルアリルアンモニウム共重合体とヒドロキシアルキル多価アルコール化合物を配合すること（例えば、特許文献４参照。）や、Ｎ−アシルアミノ酸塩を配合すること（例えば、特許文献５参照。）が知られている。しかしながら、これらを配合した場合でも、洗浄時における角質層のアミノ酸を洗い流さない溶出抑制効果の点では満足のいくものではなく、また油性成分やヒドロキシアルキル多価アルコール化合物を配合した場合には、常温から低温において白濁しやすいという問題がある。
【０００４】
また、ヒドロキシエーテルカルボン酸型界面活性剤を配合する洗浄剤組成物において、刺激性の低下や、使用性、安定性の向上の目的で多価アルコールを配合するもの（例えば、特許文献６、７参照。）がある。しかしながら、他の多価アルコールと比べてジプロピレングリコールが特に洗浄時における角質層のアミノ酸を洗い流さない溶出抑制効果に優れていることについて技術的思想を示唆するものは何ら開示されていなかった。
【０００５】
なお、本出願人は、洗浄時における角質層のアミノ酸を洗い流さない溶出抑制効果の目的で、アニオン性界面活性剤とＮ−アセチルグルコサミンを組み合わせること（例えば、特許文献８参照。）を提案している。
【先行技術文献】
【特許文献】
【０００６】
【特許文献１】特公平０７−１２２０７２号公報
【特許文献２】特公平０６−０９６４９０号公報
【特許文献３】特許第５０７８１３０号公報
【特許文献４】特開２００７−２５４５７３号公報
【特許文献５】特開平０７−３０４６５２号公報
【特許文献６】特許第４４４２７９２号公報
【特許文献７】特開２００６−０２８０９６号公報
【特許文献８】特開２０１２−１１６８９８号公報
【発明の概要】
【発明が解決しようとする課題】
【０００７】
上記従来技術を背景とした本発明の目的は、洗浄時に角質層のアミノ酸を洗い流さない溶出抑制効果によって肌のうるおいを保ち、泡立ち、泡質（クリーミィ性）も良好な洗浄剤
組成物を提供することにある。
【課題を解決するための手段】
【０００８】
本発明者等は、本発明の目的を達成するために鋭意研究した結果，ドデカン−１，２−ジオール酢酸エーテルナトリウムと、ジプロピレングリコールを特定比率で組み合わせて配合すれば、上記課題が解決できることを見出し、本発明を完成するに至った。
【０００９】
すなわち、本発明は、（ａ）ドデカン−１，２−ジオール酢酸エーテルナトリウム、及び（ｂ）ジプロピレングリコールを含有し、含有比（ａ）：（ｂ）が１：１〜１：１０であることを特徴とする洗浄剤組成物である。
【発明の効果】
【００１０】
本発明によれば、洗浄時に角質層のアミノ酸を洗い流さない溶出抑制効果によって肌のうるおいを保ち、泡立ち、泡質（クリーミィ性）も良好な洗浄剤組成物を提供することができる。
【発明を実施するための形態】
【００１１】
以下、本発明の洗浄剤組成物について詳細に説明する。
【００１２】
本発明で用いられる（ａ）ドデカン−１，２−ジオール酢酸エーテルナトリウムの配合量は特に限定されないが、泡立ち、泡質の点から０．０１〜３０質量％が好ましく、０．５〜２０質量％がより好ましい。また（ａ）成分は市販品を用いることができ、例えば三洋化成工業株式会社製のビューライトＳＨＡＡなどがこれに該当する。
【００１３】
本発明で用いられる（ｂ）ジプロピレングリコールは、重量比で（ａ）：（ｂ）＝１：１〜１：１０となるよう配合することが必須である。（ｂ）成分が（ａ）成分１に対して１よりも小さいと、洗浄時における角質層のアミノ酸を洗い流さない溶出抑制効果が低下し、（ｂ）成分が（ａ）成分１に対して１０よりも大きい場合では泡立ちや泡質（クリーミィ性）が阻害される。角質層のアミノ酸を洗い流さない溶出抑制効果と、泡立ち、泡質（クリーミィ性）をより両立させるためには、（ａ）：（ｂ）＝１：５〜１：８が好ましい。
【００１４】
本発明の皮膚洗浄剤組成物は、上述した成分の他に、本発明の目的を損なわない範囲で他の成分、例えば、アニオン界面活性剤、両性界面活性剤、ノニオン界面活性剤、カチオン化高分子、非イオン性高分子、粉体（顔料、色素、樹脂等）、防腐剤、香料、保湿剤、生理活性成分、塩類、溶媒、パール化剤、中和剤、ｐＨ調整剤、酵素等の成分を適宜配合することができる。
【００１５】
上記アニオン界面活性剤としては、特に限定されるものではなく、例えばα−ラウロイルスルホン酸ナトリウム、ミリストイルアリルスルホン酸ナトリウム、ラウリルナフタレンスルホン酸ナトリウム、ラウリル硫酸トリエタノールアミン、ラウリル硫酸アンモニウム、ラウリルエーテル硫酸ナトリウム、ポリオキシエチレンラウリルエーテル硫酸ナトリウム、ポリオキシエチレンヤシ油脂肪酸アミドエーテル硫酸カリウム、ラウリルリン酸ナトリウム、ラウロイルメチルタウリンナトリウム、パルチミン酸カリウム、ヤシ油脂肪酸カリウム、Ｎ−ヤシ油脂肪酸グルタミン酸カリウム、スルホコハク酸ラウリル二ナトリウム、ポリオキシエチレンラウリルエーテル酢酸ナトリウム等が挙げられ、適宜一種又は二種以上選択して用いればよい。
【００１６】
上記両性界面活性剤としては、特に限定されるものではないが、例えばラウリン酸アミドプロピルベタイン、ヤシ油脂肪酸アミドプロピルベタイン、ラウリルジメチルアミノ酢酸
ベタイン、２−アルキル−Ｎ−カルボキシメチル−Ｎ−ヒドロキシエチルイミダゾリニウムベタイン、ラウリルアミノジ酢酸ナトリウム、β−アミノプロピオン酸ナトリウム、Ｎ−ラウロイル−Ｎ’−カルボキシメチル−Ｎ’−ヒドロキシエチルエチレンジアミンナトリウム等が挙げられ、適宜一種又は二種以上選択して用いればよい。
【００１７】
上記ノニオン界面活性剤としては、特に限定されるものではないが、例えばポリオキシエチレンセチルエーテル、モノステアリン酸ソルビタン、トリイソステアリン酸ポリオキシエチレンソルビタン、ポリオキシエチレン硬化ヒマシ油、ポリオキシエチレンモノイソステアレート、ポリオキシエチレンジオレイン酸グリセリル、ヤシ油脂肪酸ジエタノールアミド、ヤシ油脂肪酸モノエタノールアミド、ヤシ油脂肪酸Ｎ−メチルエタノールアミド、ポリオキシエチレンポリオキシプロピレングリコール、モノラウリン酸ポリエチレングリコール等が挙げられ、適宜一種又は二種以上選択して用いればよい。
【００１８】
上記カチオン化高分子としては、特に限定されるものではないが、例えば塩化Ｏ−［２−ヒドロキシ−３−（トリメチルアンモニオ）プロピル］ヒドロキシエチルセルロース、塩化Ｏ−［２−ヒドロキシ−３−（トリメチルアンモニオ）プロピル］グァーガム、塩化ジメチルジアリルアンモニウム・アクリルアミド共重合体、及びアクリルアミド・アクリル酸・塩化ジメチルジアリルアンモニウム共重合体等が挙げられ、適宜一種又は二種以上選択して用いればよい。
【００１９】
上記非イオン性高分子としては、特に限定されるものではないが、例えばヒドロキシエチルセルロース、ヒドロキシプロピルセルロース、ヒドロキシプロピルメチルセルロース、ポリエチレングリコール、高重合ポリエチレングリコール、及びポリビニルアルコール等が挙げられ、適宜一種又は二種以上選択して用いればよい。
【００２０】
また、上記粉体としては、例えば赤色２０１号、黄色４号、青色１号、黒色４０１号等の色素、黄色４号Ａｌレーキ、黄色２０３号Ｂａレーキ等のレーキ色素、ナイロンパウダー、シルクパウダー、シリコーンパウダー、セルロースパウダー、シリコーンエラストマー球状粉体、ポリエチレン末等の高分子、黄酸化鉄、赤色酸化鉄、酸化クロム、カーボンブラック、群青、紺青等の有色顔料、酸化亜鉛、酸化チタン等の白色顔料、タルク、マイカ、セリサイト、カオリン等の体質顔料、雲母チタン等のパール顔料、硫酸バリウム、炭酸カルシウム、炭酸マグネシウム、珪酸マグネシウム等の金属塩、シリカ、アルミナ等の無機粉体、ベントナイト、スメクタイト、窒化ホウ素等が挙げられる。これらの粉体の形状（球状、棒状、針状、板状、不定形状、燐片状、紡錘状など）に特に制限はない。
【００２１】
上記生理活性成分としては、皮膚に塗布した場合に皮膚に何らかの生理活性を与える物質が挙げられる。例えば、抗炎症剤、老化防止剤、紫外線防御剤、ひきしめ剤、抗酸化剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。上記生理活性成分は、天然系の植物抽出成分、海藻抽出成分、生薬成分や、化合物等が挙げられるが、これらの中でも、特に天然系の植物抽出成分、海藻抽出成分、生薬成分が安全性の点で好ましい。
【００２２】
上記天然系の植物抽出成分、海藻抽出成分、生薬成分の例としては、例えばアシタバエキス、アマチャエキス、アルテアエキス、アロエエキス、アンズエキス、イチョウエキス、ウイキョウエキス、ウーロン茶エキス、エイジツエキス、オウゴンエキス、オウバクエキス、オトギリソウエキス、オランダカラシエキス、オレンジエキス、海水乾燥物、海藻エキス、加水分解コムギ末、加水分解シルク、カモミラエキス、カロットエキス、カワラヨモギエキス、甘草エキス、カキョクエキス、キウイエキス、キューカンバーエキス、クチナシエキス、クマザサエキス、クララエキス、クルミエキス、グレープフルーツエキス、
クロレラエキス、クワエキス、紅茶エキス、酵母エキス、コラーゲン、サルビアエキス、サボンソウエキス、サンザシエキス、ジオウエキス、シコンエキス、シソエキス、シナノキエキス、シャクヤクエキス、シラカバエキス、スギナエキス、セイヨウキズタエキス、セイヨウサンザシエキス、セイヨウニワトコエキス、セイヨウノコギリソウエキス、セイヨウハッカエキス、セージエキス、センキュウエキス、センブリエキス、タイソウエキス、タイムエキス、茶エキス、チョウジエキス、チンピエキス、トウキエキス、トウニンエキス、ドクダミエキス、トマトエキス、納豆エキス、ニンジンエキス、ニンニクエキス、ノバラエキス、蜂蜜、ハマメリスエキス、ヒキオコシエキス、ビサボロール、ビワエキス、ブクリョウエキス、プロポリス、ヘチマエキス、ペパーミントエキス、ボダイジュエキス、ホップエキス、マロニエエキス、ムクロジエキス、メリッサエキス、モモエキス、ユキノシタエキス、ユズエキス、ヨモギエキス、ラベンダーエキス、レモンエキス、レンゲソウエキス、ローズマリーエキス、ローヤルゼリーエキス等を挙げることができる。
【００２３】
また、上記天然系の植物抽出成分、海藻抽出成分、生薬成分以外の成分としては、例えばデオキシリボ核酸、ムコ多糖類、ヒアルロン酸ナトリウム、コンドロイチン硫酸ナトリウム、コラーゲン、エラスチン、キチン、キトサン、加水分解卵殻膜などの生体高分子、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン等の抗炎症剤、ビタミン類（Ａ、Ｂ２、Ｂ６、Ｃ、Ｄ、Ｅ）、パントテン酸カルシウム、ビオチン、ニコチン酸アミド、ビタミンＣエステル等のビタミン類、アラントイン、ジイソプロピルアミンジクロロアセテート、４−アミノメチルシクロヘキサンカルボン酸等の活性成分、トコフェロール、カロチノイド、フラボノイド、タンニン、リグナン、サポニン等の抗酸化剤、α−ヒドロキシ酸、β−ヒドロキシ酸などの細胞賦活剤、γ−オリザノール、ビタミンＥ誘導体などの血行促進剤、イソプロピルメチルフェノール、トリクロサン、ヒノキチオール、塩化ベンザルコニウム等の殺菌剤、ｌ−メントール、ハッカ油等の冷感剤、レチノール、レチノール誘導体等の創傷治癒剤等が挙げられる。
【００２４】
次に本発明の洗浄剤組成物について実施例をもって詳細に説明するが、本発明はこれにより限定されるものではない。実施例に先立ち、各実施例で採用した試験法、評価法を説明する。
【００２５】
ａ）ヒト洗浄試験
ヒト前腕内側部を用い、ガラス製カップを装着し、実施例及び比較例の各処方の洗浄剤組成物溶液を適用し洗浄液状態を再現した。評価は角質層のバリア機能を示す経表皮水分蒸散量（ＴＥＷＬ）と、回収した洗浄液からアミノ酸量を測定した。それぞれの測定条件を以下に示す。
【００２６】
１）ＴＥＷＬ測定
洗浄液を回収後に十分にすすぎ洗いし、残った水分を拭き取った後、ＴｅｗａｍｅｔｅｒＴＭ３００（ＣＫ社製）を用いて定められた方法に従い測定した。尚、測定は２２℃５０％ＲＨの環境下、２０分間順化させた後に行った。
【００２７】
２）アミノ酸溶出量
回収した洗浄液中のアミノ酸量を市販のＨＰＬＣシステムにて分析した。システムは島津製作所のＨＰＬＣを使用し、カラムはＷａｋｏｓｉｌ−ＰＴＣａアミノ酸分析用カラムを用い、検出はＵＶ（２５４ｎｍ）を用いた。
【００２８】
アミノ酸溶出量及びＴＥＷＬ値は、実施例及び比較例の各処方において、ジプロピレング
リコールを配合しない場合の値（比較例９）を基準とし、実施例及び比較例の各処方の変化量を下記基準の評価指標とした。従って、ジプロピレングリコールを配合しない比較例９の処方では評価指標は“０”となる。
２・・・有意に減少した（Ｐ＞０．０５）
１・・・有意差はないが、減少傾向がある
０・・・変化なし、または増加
【００２９】
ｂ）使用感
専門の評価者により、使用試験を実施し、１）泡立ち、２）泡質（クリーミィ性）を官能評価した。また評価の基準を次のように設定した。
◎・・・極めて良好  評価者の８５％以上が良好と回答
○・・・良好        評価者の７０％以上８５％未満が良好と回答
△・・・やや悪い    評価者の５５％以上７０％未満が良好と回答
×・・・悪い        評価者の５５％未満が良好と回答
【００３０】
実施例１〜７、比較例１〜９
表１及び表２に示す組成のボディシャンプーを調製し、これらを使用した時のアミノ酸溶出量、ＴＥＷＬ、泡立ち、泡質（クリーミィ性）について調べた。結果を併せて表１に示す。
【００３１】
【表１】
2015021087.tif 000002
【００３２】
【表２】
2015021087.tif 000003
【００３３】
表１及び表２より明らかなように、本発明の成分を用いた実施例１〜７のボディシャンプー組成物は比較例１〜９の組成物に比べていずれも優れた性能を見出した。
【００３４】
以下、本発明の洗顔料組成物のその他の処方例を実施例８として挙げる。なお、これらの
実施例の洗顔料組成物についても、アミノ酸溶出量、ＴＥＷＬ、泡立ち、泡質（クリーミィ性）について調べた。
【００３５】
実施例８  洗顔料
（１）ドデカン‐１，２‐ジオール酢酸エーテルナトリウム          ２．０
（２）ジプロピレングリコール                                  １０．０
（３）Ｎ−アセチルグルコサミン                                  ０．１
（４）ヒドロキシプロピルメチルセルロース                        ２．０
（５）ラウラミドプロピルベタイン                                ２．０
（６）チャエキス                                                ０．１
（７）乳酸桿菌／ブドウ果汁発酵液                                ０．１
（８）ヒアルロン酸ナトリウム                                    ０．１
（９）フェノキシエタノール                                      ０．３
（１０）ヒドロキシエチルエチレンジアミン三酢酸三ナトリウム液    ０．１
（１１）香料                                                    ０．２
（１２）精製水                                                  残  部
【００３６】
常法により上記組成の洗顔料を調製し、アミノ酸溶出量、ＴＥＷＬ、泡立ち、泡質（クリーミィ性）を評価したところ、いずれの特性も優れており良好な結果を得た。